(57)【特許請求の範囲】
【請求項１】
内面に回転放物反射面を形成し、水平方向の略中心で焦点Ｆ１を有する上側リフレクタと、焦点Ｆ２を有する下側リフレクタとに分割して成るリフレクタと、このリフレクタの前方に、光源として放電灯を装着して成る車両用前照灯において、
前記放電灯を前記下側リフレクタの下部に設けた支持軸を中心にして可動自在に配置しつつ当該放電灯を前記下側リフレクタ又は下側リフレクタの一部に一体的に装着し、当該下側リフレクタの全部又は一部と共に前記放電灯を前後及び上下方向へ自在に回動させて配光パターンをサブビームとメインビームに切り換える光源の駆動機構を構成し、サブビーム照射時には、前記上側リフレクタの焦点Ｆ１と下側リフレクタの焦点Ｆ２とが同一光軸Ｌ上において光源を挟む前後方向にずれていて、またメインビーム照射時には、光源を前記光軸のやや下方ヘ移動させると共に、前記上側リフレクタの焦点Ｆ１の近傍まで接近させて、前記下側リフレクタ又は下側リフレクタの一部の光軸が上方に向くように構成したことを特徴とする車両用前照灯。
【発明の詳細な説明】
【０００１】
【発明の属する技術分野】
本発明は、配光パターンの異なるサブビーム用とメインビーム用の光源を近接して設置することができない放電灯等を光源として採用した車両用前照灯に関するものである。
【０００２】
【従来の技術】
従来から、所謂光源駆動式の車両用前照灯は、例えば図１３及び図１４に示すように、内面に回転放物反射面を形成したリフレクタ１００を水平方向の略中心で上側リフレクタ１０１と下側リフレクタ１０２とに分割すると共に、その前方にシングルフィラメントやＨＩＤ等の単一の光源１０３を配置し、上側リフレクタ１０１の焦点Ｆ１と下側リフレクタ１０２の焦点Ｆ２を同一光軸Ｌ上において前後方向にずれる位置に形成し、上記光源１０３を光軸Ｌ上において前後方向を移動させることにより「サブビーム」を照射するときは、図１５（ａ）に示すように、上側リフレクタ１０１の焦点Ｆ１と下側リフレクタ１０２の焦点Ｆ２の中間位置に、また「メインビーム」を照射するときは、図１５（ｂ）に示すように上側リフレクタ１０１の焦点Ｆ１位置に停止させ、上側リフレクタ１０１による配光Ｐ１と下側リフレクタ１０２による配光Ｐ２によって所定の配光パターンに切り替えることができるように成っていた。
【０００３】
【発明が解決しようとする課題】
しかし、上記のように構成した従来の光源駆動式の車両用前照灯では、サブビーム照射時においては、図１６（ａ）に示すように、上側リフレクタ１０１による配光Ｐ１と下側リフレクタ１０２による配光Ｐ２とを重合させて所定の配光パターンを形成することができるものの、メインビーム照射時には、図１６（ｂ）に示すように、下側リフレクタ１０２の配光Ｐ２が照射スクリーンの中心付近からかなり離れたＨ線の下側、即ち車両の手前側に大きく拡散してしまい、遠方視認性が悪く成り、また上側リフレクタ１０１の配光Ｐ１においても、サブビーム照射時の光軸方向とメインビーム照射時の光軸方向が同じ方向に成るため、サブビーム照射時の光軸方向をＶ線上の０．５７°Ｄに設定すると、メインビーム照射時の光軸も０．５７°Ｄ下向きに成ってしまい、遠方視認性が悪化してしまうという問題を有していた。
【０００４】
本発明は、上記問題に鑑みて創案されたものであり、下側リフレクタの全部又は一部を光軸に対して移動させることができるように構成し、この移動可能な下側リフレクタに光源を固定して両者を同時に光軸に対して前後及び上下方向へ移動させることにより、メインビーム照射時における必要な配光パターンを形成することができる光源駆動式の車両用前照灯を提供することを目的とするものである。
【０００５】
【課題を解決するための手段】
上記目的を達成するために、本発明に係る車両用前照灯は、内面に回転放物反射面を形成し、水平方向の略中心で焦点Ｆ１を有する上側リフレクタと、焦点Ｆ２を有する下側リフレクタとに分割して成るリフレクタと、このリフレクタの前方に、光源として放電灯を装着して成る車両用前照灯において、前記放電灯を前記下側リフレクタの下部に設けた支持軸を中心にして可動自在に配置しつつ当該放電灯を前記下側リフレクタ又は下側リフレクタの一部に一体的に装着し、当該下側リフレクタの全部又は一部と共に前記放電灯を前後及び上下方向へ自在に回動させて配光パターンをサブビームとメインビームに切り換える光源の駆動機構を構成し、サブビーム照射時には、前記上側リフレクタの焦点Ｆ１と下側リフレクタの焦点Ｆ２とが同一光軸Ｌ上において光源を挟む前後方向にずれていて、またメインビーム照射時には、光源を前記光軸のやや下方ヘ移動させると共に、前記上側リフレクタの焦点Ｆ１の近傍まで接近させて、前記下側リフレクタ又は下側リフレクタの一部の光軸が上方に向くように構成したことを要旨としている。
【０００６】
上記下側リフレクタ又は下側リフレクタの一部には、放電灯を一体的に装着して下側リフレクタ又は下側リフレクタの一部と共に前後及び上下方向へ自在に回動するように構成することができる。また上記下側リフレクタ又は下側リフレクタの一部と、これに一体的に装着した放電灯が、下側フレクタの下部に構成した支持軸を中心にして自在に回動するように構成することもできる。
【０００７】
上記光源の駆動機構は、アクチュエ−タによって動作するカムによって構成することができる。
【０００８】
上記のような構成によれば、下側リフレクタを前方及び上方へ移動させた状態で上側リフレクタの焦点Ｆ１と下側リフレクタの焦点Ｆ２とが同一光軸上において光源を挟んだ前後方向にずれてサブビームを照射し、また下側リフレクタを後方及び下方へ移動させた状態で光源が光軸Ｌのやや下方に移動すると共に、上側リフレクタの焦点Ｆ１に接近してメインビームを照射する。このとき、この下側リフレクタの光軸が下側リフレクタの移動範囲（回動角度）と同じ角度だけ上方に向くので、下側リフレクタの配光が照射スクリーンの中心付近まで上昇し、中心部分の光量が増加するため、遠方視認性が向上する。
【０００９】
上記下側リフレクタは、その下部前端に支持軸を設け、この支持軸を中心点として開口部側を上下方向へ自在に回動するように支持すると共に、その下部においてカムを介在して駆動する構造に成っているため、メインビーム照射時には光源をサブビーム照射時の光源位置よりもやや下方へ移動させると共に、メインビームの光軸をやや上向きに設定することができるため、遠方視認性を向上することができる。
【００１０】
【発明の実施の形態】
以下、本発明に係る車両用前照灯の好適な発明の実施の形態を図面に従って説明する。
本発明に係る車両用前照灯を構成するリフレクタ１は、図１に示すように、内面に回転放物反射面を形成し、水平方向、即ち回転放物反射面の略中心で焦点Ｆ１を有する上側リフレクタ２と、焦点Ｆ２を有する下側リフレクタ３とに分割して成り、その前方に光源Ｇと成る放電灯４を装着したものである。本実施の形態においては、上記上側リフレクタ２は、サブビーム照射時における所定の配光Ｐ１を形成するために、正面視において光軸Ｌを通る垂直線Ｖの左側に水平線Ｈの下方へ傾斜する反射面２ａを延設し、路側方向への照射光が不足しないように構成してある。また、下側リフレクタ３は上記上側リフレクタ２の下方に全体として椀状に成るように形成してあり、本実施の形態においては光軸Ｌから垂直線Ｖを挟む左右両側の下方へ広がり扇形状に分割された可動部３ａを形成すると共に、その上方に形成された固定部３ｂを上記上側リフレクタ２の下方に一体的に連続するように形成してある。
【００１１】
上記のように構成した下側リフレクタ３の可動部３ａには、光軸Ｌを含む上端に放電灯４を取り付けるためのリフレクタ底部３ｃが一体的に形成してあり、このリフレクタ底部３ｃに固定した放電灯４にソケット５が装着されるように構成してある。この下側リフレクタ３の可動部３ａは、その下部に形成したブラケット６を介して支持軸７により回動自在に支持されており、後述する駆動機構によってその開口部側を所定範囲内において前後及び上下方向（矢印Ｘ−Ｙ方向）へ自在に起伏させることができるように構成してあり、この可動部３ａと共に放電灯４を光軸Ｌに対して前後及び上下方向へ移動させることができるように成っている。
【００１２】
上側リフレクタ２の焦点Ｆ１と下側リフレクタ３の焦点Ｆ２とは、サブビーム照射時（図２（ａ）参照）には、同一光軸Ｌ上において、放電灯４の光源（発光部）Ｇを挟む前後方向にずれており、またメインビーム照射時（図２（ｂ）参照）には光源Ｇを上記光軸Ｌのやや下方へ移動させると共に、上側リフレクタ２の焦点Ｆ１の近傍まで接近させることができるように成っている。
【００１３】
下側リフレクタ３の上記可動部３ａは、図３に示すように、その後部に形成したブラケット８に回動自在に連結したアーム９，９を介して灯具ハウジング（図示していない）側に固設したロータリーソレノイドやステップモータ等のアクチュエータ１０に連結し、このアクチュエータ１０の駆動力により上記支持軸７を中心にして前後及び上下方向へ可動部３ａの開口部側を起伏させるように傾斜回動し、同時に放電灯４の光源Ｇ位置を光軸Ｌに対して前後及び上下に移動させて「サブビーム」と「メインビーム」との配光パターンを形成するように構成してある。
【００１４】
（１）サブビーム
「サブビーム」照射時には、下側リフレクタ３の可動部３ａは、図２（ａ）に示すように、起立した姿勢に支持されており、放電灯４の光源Ｇを挟んで同一光軸Ｌ上にある上側リフレクタ２の焦点Ｆ１と下側リフレクタ３の焦点Ｆ２とが前後方向にずれており、図４に示すように、照射スクリーンのＨ線下方に上側リフレクタ２による配光Ｐ１と下側リフレクタ３による配光Ｐ２とが重合してサブビーム配光パターンを形成する。
【００１５】
（２）メインビーム
「メインビーム」照射時には、図２（ｂ）に示すように、下側リフレクタ３の可動部３ａが後方へθ度傾斜し、放電灯４の光源Ｇを光軸Ｌのやや下方へ移動させると共に、上側リフレクタ２の焦点Ｆ１の近傍に接近させる。この位置において、図５に示すように、照射スクリーンの中心に集光した上側リフレクタ２による配光Ｐ１を形成すると共に、この配光Ｐ１に重ね合わせるように下側リフレクタ３の可動部３ａによる配光Ｐ２を形成して遠方視認性を向上した照射光を得るように成っている。また、下側リフレクタ３は、その固定部３ｂにより、Ｈ線の下方においてＶ線の左右に振り分けられた配光Ｐ３，Ｐ３を形成し、路側及び対向車線側の車両手前の路面を照明する照射光を得るように成っている。このとき、下側リフレクタ３の可動部３ａの光軸がこの可動部３ａの回動角度θと同じ角度だけ上方に向くため、車両手前の光量を減じ、遠方への光量を増加して遠方視認性の良好なメインビーム配光パターンを形成することができる。
【００１６】
図６及び図７は、下側リフレクタ全体を移動させることができるように構成した本発明の第二の発明の実施の形態を示すものである。
この実施の形態において、リフレクタ１１は、全体として略碗状に形成して成り、その内面に回転放物反射面を形成すると共に、水平方向、即ち回転放物反射面の光軸Ｌの略中心で焦点Ｆ１を有する上側リフレクタ１２と、焦点Ｆ２を有する下側リフレクタ１３とに分割してある。このリフレクタ１１の前方には、放電灯１４を装着し、上側リフレクタ１２によってサブビーム照射時における所定の配光Ｐ１を形成する。また、この上側リフレクタ１２は、正面視において光軸Ｌを通る垂直線Ｖの左側に水平線Ｈの下方へ傾斜する反射面１２ａが延設してあり、路側方向における車両手前側への照射光が不足しないように構成してある。
【００１７】
下側リフレクタ１３は、上記上側リフレクタ１２の下方において完全に分割されており、この下側リフレクタ１３全体が可動部として構成されている。上記のように構成した下側リフレクタ１３には、光軸Ｌを含む上端に放電灯１４を取り付けるためのリフレクタ底部１３ａが一体的に形成してあり、このリフレクタ底部１３ａに固定した放電灯１４にソケット１５が装着されるように構成してある。またこの下側リフレクタ１３は、その下端に形成したブラケット１６を介して支持軸１７（回転中心Ｏ）により回動自在に支持されており、アクチュエータ（図示していない）によってその開口部側を所定範囲内において前後及び上下方向（矢印Ｘ−Ｙ方向）へ自在に起伏させることができるように構成してあり、この下側リフレクタ１３に装着した放電灯１４を光軸Ｌに対して前後及び上下方向へ傾斜移動させることができるように成っている。
【００１８】
上記のような構成によれば、「サブビーム」照射時には、下側リフレクタ１３は図７（ａ）に示すように、起立した姿勢に支持されており、放電灯１４の光源Ｇを挟んで同一光軸Ｌ上にある上側リフレクタ１２の焦点Ｆ１と下側リフレクタ１３の焦点Ｆ２とが前後方向にずれており、照射スクリーンのＨ線下方に上側リフレクタ１２と下側リフレクタ１３による所定のサブビーム配光パターンを形成することができる。
また、「メインビーム」照射時には、下側リフレクタ１３は、図７（ｂ）に示すように、後方へθ度傾斜して放電灯１４の光源Ｇを光軸Ｌのやや下方へ移動させると共に、上側リフレクタ１２の焦点Ｆ１の近傍に接近させる。この位置において、図８に示すように、照射スクリーンの中心に集光した上側リフレクタ１２による配光Ｐ１を形成すると共に、この配光Ｐ１に重合するようにθ度上方へ傾斜した下側リフレクタ１３による配光Ｐ２を形成し、遠方への光量を増加して遠方視認性の良好なメインビーム配光パターンを形成することができる。
【００１９】
図９は、光源の駆動方法に関する他の実施の形態を示すものであり、上記第一及び第二の実施の形態と異なる部分について説明する。
この発明の実施の形態においては、内面に回転放物反射面を形成した略椀状のリフレクタ２１の後部に放電灯２４を装着するためのリフレクタ底部２３ｃを構成し、リフレクタ開口部２６に対して放電灯２４を装着した上記リフレクタ底部２３ｃを所定範囲内で前後方向へ抜き差ししながら傾斜移動するように構成したものである。本発明の実施の形態において、上記リフレクタ２１は、水平方向、即ち回転放物反射面の略中心で焦点Ｆ１を有する上側リフレクタ２２と、焦点Ｆ２を有する下側リフレクタ２３とに分割し、この下側リフレクタ２３をバルブホルダ２８上に支持して放電灯２４を装着したリフレクタ底部２３ｃと共に前後及び上下方向へ自在に移動するように構成したものである。
【００２０】
即ち、バルブホルダ２８は、その主体部２８ａの上部に下側リフレクタ２３を固着する構造に成っており、その前端を下側リフレクタ２３の下部であって、かつ開口部寄りに回転中心Ｏを形成するように支持軸２７によって支持する共に、その後端から立ち上げた放電灯保持部２８ｂには、リフレクタ底部２３ｃを固定し、放電灯２４をリフレクタ２１の後部から光軸Ｌ上に挿通させて支持し、更に主体部２８ａの後方へ係合縁２９を突出させて成るものである。また、この係合縁２９の下部にはアクチュエータ（図示していない）によって回転駆動されるカム３０を係合させてある。このカム３０は、図示例においては、その外周に小径部Ｒ１から大径部Ｒ３までを変径部Ｒ２によって連続形成してあり、小径部Ｒ１と大径部Ｒ３とが回転中心Ｏを共通にすると共に、概ね両者の円弧の形成長さが「Ｒ１＋Ｒ３＝２Ｒ２」、回転角Ａが１８０度前後に成り、変径部Ｒ２において回転角Ａを変位させることができるように形成し、バルブホルダ２８がこの回転角Ａの範囲で前後及び上下方向へ移動するように設定してある。従って、図１０（ａ）に示すように、小径部Ｒ１と大径部Ｒ３の円弧範囲（Ｂ矢視部）においてはカム３０が回転してもバルブホルダ２８が移動することはなく、小径部Ｒ１から大径部Ｒ３に連続する変径部Ｒ２の円弧範囲（Ｃ矢視部）においてはバルブホルダ２８が上下移動し、設定した回転角を越えてカム３０が回転しても、バルブホルダ２８に支持された放電灯２４の支持位置がそれ以上には変化しないように構成してある（図１０（ｂ）参照）。
【００２１】
上記バルブホルダ２８の後端側は、このカム３０によって支持されており、前端側を軸支している支持軸２７を中心（回転中心Ｏ）にして後端側が上記カム３０によって上下動作を生じ、その上方に支持したリフレクタ底部２３ｃ及び放電灯２４を後方へ所定角度だけ傾斜させることができるように成っている。符号３１は、係合縁２９の後端側を下方へ張引付勢するバネ等の弾性体であり、カム３０に対する係合縁２９の浮き上がりを防止し、円滑な接触動作を可能にすると共に、リフレクタ底部２３ｃ及び放電灯２４に対する振動その他の衝撃による不安定要素の影響を排除するためのものである。
而して、カム３０の回転角Ａが略−１３０°（図９（ａ））から−９０°（図９（ｂ））前後の範囲において小径部Ｒ１上にバルブホルダ２８の係合縁２９を支持してリフレクタ底部２３ｃを後方へ移動させ、放電灯２４をメインビーム照射姿勢に傾斜支持すると共に、回転角Ａが略＋９０°（図９（ｃ））から＋１３５°（図９（ｄ））前後の範囲においては大径部Ｒ３上にバルブホルダ２８の係止縁２９を支持してリフレクタ底部２３ｃを前方へ移動させ、放電灯２４をサブビーム照射姿勢に起立支持するように成っている。即ちバルブホルダ２８は、カム３０の回転角Ａが−９０°から＋９０°の範囲で前後及び上下方向へ傾斜移動するように構成したものであり、上記のように、カム３０の一部に円弧を形成することにより、カム３０の回転角Ａの精度を高めることなく、バルブホルダ２８の停止位置の精度を高めることを可能にしている。
【００２２】
図１１及び図１２は、更に光源の駆動方法に関する他の実施の形態を示すものであり、上記第三の実施の形態と異なる部分についてのみ説明する。
即ち、この発明の実施の形態は、上記第三の実施の形態において構成した弾性体３１を用いず、バルブホルダ３８の後部にカム４０の回転中心Ｏを通り、小径部Ｒ１側から大径部Ｒ３側を結ぶ最大径Ｄに相当する上下内幅を有する枠体３９を形成し、上記第三の実施の形態において詳述したカム３０を逆向きに二枚又は三枚合わせにした形状（図示例は二枚）のカム４０を内装し、枠体３９の上下縁間に嵌合挟持すると共に、所定部位に固定されたカム４０によって、バルブホルダ３８の上下移動範囲を規制し、その浮き上がりを防止するように構成したものである。この実施の形態において、上記枠体３９の上下縁には、二枚合わせにしたカム４０の回転動作を円滑にするための切欠３９ａ，３９ａが相互に逆向きに成るように形成してある（図１２参照）。このような構成により、弾性体等のバルブホルダ３８に形成した枠体３９内面に対するカム４０の摩擦の増加を防止してバルブホルダ３８の円滑な動作を可能にする。
【００２３】
上記発明の実施の形態において、カム４０の回転角Ａが略−１３０°（図１１（ａ））から−９０°（図１１（ｂ））前後の範囲においては小径部Ｒ１側が枠体３９の上縁側に回動し、リフレクタ底部３３ｃを後方へ移動させて放電灯３４をメインビーム照射姿勢に傾斜支持すると共に、回転角Ａが略＋９０°（図１１（ｃ））から＋１３５°（図１１（ｄ））前後の範囲においては大径部Ｒ３側が枠体３９の上縁側に移動しており、リフレクタ底部３３ｃを前方へ移動させて放電灯３４をサブビーム照射姿勢に起立支持するように成っている。
【００２４】
なお、本発明の実施の各形態において、放電灯の周囲にシェードを付設して車両の前方上方への余分な照明光の出射を防止するように構成することができることは勿論である。
【００２５】
【発明の効果】
本発明に係る車両用前照灯は、以上のように構成したから、下側リフレクタを後方へ傾斜移動させた「メインビーム」照射時には、下側リフレクタの光軸がリフレクタの回動傾斜角度と同じだけ上方へ向かって傾斜するため、照射スクリーンの中心部分の光量を増加し、遠方視認性に優れたメインビーム配光パターンを形成することができる。
また、下側リフレクタやソケットを装着した放電灯を簡単な構成によって簡単に前後及び上下方向へ移動させることができると共に、精度の高い配光パターンの切り換え操作を可能にする等、本発明の実施により得られる効果は極めて大きい。
【図面の簡単な説明】
【図１】本発明に係る車両用前照灯の下側リフレクタの一部を可動し得るように構成した第一の発明の実施の形態を示すもので、前面レンズを外した状態の概略正面図である。
【図２】第一の発明の実施の形態における下側可動リフレクタの作動状態を示すものであり、（ａ）は下側リフレクタを前方へ起立させた状態の側断面図、（ｂ）は下側可動リフレクタを後方へθ°だけ傾斜移動させた状態の側断面図である。
【図３】第一の発明の実施の形態における後方から見た斜視図である。
【図４】第一の発明の実施の形態におけるサブビーム照射時の配光パターンを示す説明図である。
【図５】第一の発明の実施の形態におけるメインビーム照射時の配光パターンを示す説明図である。
【図６】下側リフレクタの全体を可動し得るように構成した第二の発明の実施の形態を示す前面レンズを外した状態の概略正面図である。
【図７】第二の発明の実施の形態における下側可動リフレクタの作動状態を示すものであり、（ａ）は下側リフレクタを前方へ起立させた状態の側断面図、（ｂ）は下側可動リフレクタを後方へ傾斜移動させた状態の側断面図である。
【図８】第二の発明の実施の形態におけるメインビーム照射時の配光パターンを示す説明図である。
【図９】下側リフレクタの駆動装置に係る他の発明の実施の形態を示すものであり、（ａ）はカムの回転角を−１３０°に設定して下側リフレクタを後方へ傾斜させた状態（メインビーム照射時の状態）を示す要部側断面図、（ｂ）は同じくカムを回転角−９０°まで回転させた状態の要部側断面図、（ｃ）は同じくカムの回転角を＋９０°に設定して下側リフレクタを前方へ起立移動させた状態（サブビーム照射時の状態）を示す要部側断面図、（ｄ）は同じくカムを回転角＋１３５°まで回転させた状態を示す要部側断面図である。
【図１０】下側リフレクタを駆動するためのカムの構成を示すものであり、（ａ）は側面図、（ｂ）はカムの回転角による半径の変化を示す説明図である。
【図１１】下側リフレクタの駆動装置に係る更に他の発明の実施の形態を示すものであり、（ａ）はカムの回転角を−１３０°に設定して下側リフレクタを後方へ傾斜させた状態（メインビーム照射時の状態）を示す要部側断面図、（ｂ）は同じくカムを回転角−９０°まで回転させた状態の要部側断面図、（ｃ）は同じくカムの回転角を＋９０°に設定して下側リフレクタを前方へ起立移動させた状態（サブビーム照射時の状態）を示す要部側断面図、（ｄ）は同じくカムを回転角＋１３５°まで回転させた状態を示す要部側断面図である。
【図１２】枠体の構造を示す要部拡大斜視図である。
【図１３】従来の車両用前照灯に構成したリフレクタの構造を示す概略正面図である。
【図１４】同じく従来の車両用前照灯に構成したリフレクタの構造を示す要部側断面図である。
【図１５】同じく従来の車両用前照灯に構成したリフレクタにおける上側リフレクタの焦点と下側リフレクタの焦点に対する光源の移動位置関係を示すものであり、（ａ）はサブビーム照射時を示す要部側断面図、（ｂ）はメインビーム照射時を示す要部側断面図である。
【図１６】同じく従来の車両用前照灯に構成したリフレクタによって形成される配光パターンを示すものであり、（ａ）はサブビーム照射時の配光パターンを示す説明図、（ｂ）はメインビーム照射時の配光パターンを示す説明図である。
【符号の説明】
１，１１，２１  リフレクタ
２，１２，２２  上側リフレクタ
３，１３，２３  下側リフレクタ
３ｃ，１３ｃ，２３ｃ，３３ｃ  リフレクタ底部
４，１４，２４，３４  放電灯
５，１５，２５，３５  ソケット
６  ブラケット
７，１７，２７，３７  支持軸
８  ブラケット
９，９  連結アーム
１０  アクチュエータ
２８  バルブホルダ
２９  係合縁
３０，４０  カム
３９  枠体
Ｏ  回転中心
Ｇ  光源
Ｌ  光軸
θ  回動角度
Ｆ１  上側リフレクタの焦点
Ｆ２  下側リフレクタの焦点
Ｖ  垂直線
Ｈ  水平線
Ｘ−Ｙ  前後及び上下方向
【図１】
0003972998.tif 000002
【図２】
0003972998.tif 000003
【図３】
0003972998.tif 000004
【図４】
0003972998.tif 000005
【図５】
0003972998.tif 000006
【図６】
0003972998.tif 000007
【図７】
0003972998.tif 000008
【図８】
0003972998.tif 000009
【図９】
0003972998.tif 000010
【図１０】
0003972998.tif 000011
【図１１】
0003972998.tif 000012
【図１２】
0003972998.tif 000013
【図１３】
0003972998.tif 000014
【図１４】
0003972998.tif 000015
【図１５】
0003972998.tif 000016
【図１６】
0003972998.tif 000017